(57)【特許請求の範囲】
【請求項１】
スプーンで掬い上げる食品を収容する器部と、
この器部を保持するベース部と、を有し、
前記器部内面が、曲率半径の異なる複数の食品収容部を備えると共に、この器部の前記ベース部に対する相対位置を変更するための位置変更手段を備え、
前記位置変更手段によって前記食品収容部の最深部の位置を変更する構成となっており、
いずれか一つの前記食品収容部が前記最深部となったときに、当該食品収容部と連続して形成された他の前記食品収容部が食品掬い上げ用壁部となり、
前記食品掬い上げ用壁部に対向して配置される前記器部の開口面が食器の水平面に対して下向きに傾斜して形成されていることを特徴とする食器。
【請求項２】
前記食品掬い上げ用壁部の端部が前記器部の内側にオーバーハングして形成されていることを特徴とする請求項１に記載の食器。
【請求項３】
前記器部が、平面視で全体として略卵殻型と成っており、
前記食品掬い上げ用壁部に対向して配置される前記器部の開口面が、前記略卵殻型の長手方向に沿って、当該食器の水平面に対して下向きに傾斜して形成され、
前記傾斜して形成された前記器部の開口面が、前記スプーンを挿入する側に形成されていることを特徴とする請求項１又は請求項２に記載の食器。
【請求項４】
前記位置変更手段は、前記器部の偏心位置に設けられた器側凸部又は器側凹部と、この器側凸部又は器側凹部に対応して前記ベース部に設けられたベース部側凹部又はベース部側凸部と、を有していることを特徴とする請求項１乃至請求項３のいずれか１項に記載の食器。
【請求項５】
前記器側凸部は、前記器部の底面に形成されていることを特徴とする請求項４に記載の食器。
【発明の詳細な説明】
【０００１】
【発明の属する技術分野】
本発明は、例えば食器内に収容された食品を最後まで食べ易くするための食器であり、特に幼児や要介護者等が使用するのに適した食器に関するものである。
【０００２】
【従来の技術】
幼児や要介護者等が食事をする際には、食器内の食品をスプーン等で掬い上げて、口に運んでいた。
この場合、食器内の食品が残り少なくなってくると、食器をスプーンと異なる手で持つことや、傾けることが上手くできない幼児や要介護者等が、自ら食器内の食品をスプーン等で掬い上げ、口に運ぶのが困難になっていた。
このため、食器内の食品を最後まで掬い易くするように、食器内に窪み等を配置していた。
【０００３】
【発明が解決しようとする課題】
しかしながら、食器内の窪みにある食品を掬い上げるのは、幼児又は要介護者等にとって、依然として困難であるという問題があった。
【０００４】
本発明は、以上の点に鑑み、食器内の食品を掬い上げ易い食器を提供することを目的とする。
【０００５】
【課題を解決するための手段】
前記目的は、本発明によれば、スプーンで掬い上げる食品を収容する器部と、この器部を保持するベース部と、を有し、前記器部内面が、曲率半径の異なる複数の食品収容部を備えると共に、この器部の前記ベース部に対する相対位置を変更するための位置変更手段を備え、前記位置変更手段によって前記食品収容部の最深部の位置を変更する構成となっており、いずれか一つの前記食品収容部が前記最深部となったときに、当該食品収容部と連続して形成された他の前記食品収容部が食品掬い上げ用壁部となり、前記食品掬い上げ用壁部に対向して配置される前記器部の開口面が食器の水平面に対して下向きに傾斜して形成されていることを特徴とする食器により達成される。
【０００６】
前記構成によれば、前記器部内面が、曲率半径の異なる複数の食品収容部を備えるので、これら食品収容部に収容された食品の量が減った場合、前記器部を傾けることで、食品の深さ方向が異なることになる。すなわち、食品が残り少なくなった場合、食品の深さ方向がより深くなる曲率半径が小さい食品収容部に、食品を配置することで、使用者は容易に残りの食品をすべて食器内から掬い上げることができる。
また、前記器部の前記ベース部に対する相対位置を変更するための位置変更手段を備えるので、食器内の食品が残り少なくなった場合、容易に食品を上述の食品の深さ方向が深くなる曲率半径の食品収容部に移動させることができる。
また、いずれか一つの食品収容部が最深部となったときに、当該食品収容部と連続して形成された他の食品収容部が食品掬い上げ用壁部となるので、食品収容部の最深部に配置された食品を使用者が容易に壁部に当接させつつ、スプーン等で掬い上げることができる。したがって、より容易に、残りの食品をすべて食器内から掬い上げることができる。
また、食品掬い上げ用壁部に対向して配置される器部の開口面が食器の水平面に対して下向きに傾斜して形成されているので、使用者がスプーン等で器部内の食品を前記食品掬い上げ用壁部に当接させ、食品を掬い上げる際に、使用者の手やスプーンの柄等が、前記器部の開口面の端部に当接することがない。したがって、使用者の食品を掬い上げる動作がより行い易くなる。
【０００７】
【０００８】
【０００９】
好ましくは、前記食品掬い上げ用壁部の端部が前記器部の内側にオーバーハングして形成されていることを特徴とする。
前記構成によれば、前記食品掬い上げ用壁部の端部が前記器部の内側にオーバーハングして形成されているので、前記複数の食品収容部の最深部に配置された食品を使用者が壁部に当接させつつ、スプーン等で掬い上げることが更に容易になる。特に、このオーバーハング形状によって、食品が器部の外側にこぼれることなく、内側でスプーンに容易に載置されることになる。
【００１０】
【００１１】
【００１２】
【００１３】
好ましくは、前記器部が、平面視で全体として略卵殻型と成っており、前記食品掬い上げ用壁部に対向して配置される前記器部の開口面が、前記略卵殻型の長手方向に沿って、当該食器の水平面に対して下向きに傾斜して形成され、前記傾斜して形成された前記器部の開口面が、スプーンを挿入する側に形成されていることを特徴とする。
前記構成によれば、前記食品収容部が、全体として略卵殻型と成っているので、幼児や要介護者等の母親や介護者等が、咀嚼の補助のため食品を器部内にて潰すなど器部の上部から力をかける際に、掌全体で器部を持つことにより、力を受け止めやすい形状となっている。特に、腕の機能の未発達な幼児等にとって、食品をスプーン等で掬い上げる際に、手首を回転させるように動かして掬い上げることが難しく、スプーン先端を器部の底に当てながら、腕全体を横に大きく動かすことにより、食品を掬う傾向にある。したがって、使用者が食品を掬い上げるための動作をするためにスプーン等を移動させる方向がより長く構成されているので、使用者が食品を掬い上げる動作をし易くなる。
【００１４】
【００１５】
好ましくは、前記位置変更手段は、前記器部の偏心位置に設けられた器側凸部又は器側凹部と、この器側凸部又は器側凹部に対応して前記ベース部に設けられたベース部側凹部又はベース部側凸部と、を有していることを特徴とする。
前記構成によれば、前記器部に設けられた器側凸部又は器側凹部は、これに対応して設けられたベース部側凹部又はベース部側凸部に嵌合する。したがって、器部は、ベース部に対して位置決めされつつ固定される。また、前記器側凸部又は器側凹部は、器部の偏心位置に形成されているので、器部の向きを変えて、器側凸部又は器側凹部をベース部側凹部又はベース部側凸部に嵌合させることで、器部のベース部に対する位置及び角度を容易に変更することができる。
【００１６】
好ましくは、前記器側凸部は、前記器部の底面に形成されていることを特徴とする。
前記構成によれば、前記器側凸部は、前記器部の底面に形成されているので、前記器側凸部をテーブル等に接地させることで、前記器部を単独で、テーブル等に載置させることができる。
【００１７】
【００１８】
【００１９】
【００２０】
【００２１】
【００２２】
【００２３】
【００２４】
【００２５】
【００２６】
【００２７】
【００２８】
【発明の実施の形態】
以下、この発明の好適な実施の形態を添付図面等を参照しながら、詳細に説明する。尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２９】
（第１の実施の形態）
図１は、本発明が適用される食器を示す概略斜視図である。図１において、食器１００は、食品を収容した器部１１０と、この器部１１０を支持するベース部１２０とを備えている。
図２は、図１の食器１００の概略中央縦断面を示す図であり、図３は、図１の器部１１０の平面図であり、図４は食器１００の器部１１０の位置を変更した状態を示す概略中央縦断面図である。また、図５は器部１１０の左側面図である。
図３に示すように、器部１１０は、その全体が例えば略卵殻型に形成されている。したがって、食器１００を使用する例えば幼児や要介護者の母親や介護者が器部１１０内で食品を潰す際に、器部１１０を手にしっかりと持ち易い形状となっている。
【００３０】
また、この器部１１０には、曲率半径の異なる２つの食品収容部１１１，１１２が連続した曲線で結ばれて形成されている。したがって、幼児や要介護者が例えばスプーンで器部１１０内に収容された食品を掬い上げる際に、スプーンの動きを妨げることがない。
この曲率半径は、図２の左側の食品収容部１１１では、例えば、Ｒ４５ｍｍとなっており、右側の食品収容部１１２では、例えばＲ２５０ｍｍとなっている。
【００３１】
ところで、器部１１０は、図２のようにベース部１２０上に配置される場合は、器部１１０の食品収容部１１２の最深部１１２ａが器部１１０の最深部になるように配置される。また、図４に示すように器部１１０のベース部１２０に対する位置を変更すると、食品収容部１１１の最深部１１１ａが器部１１０の最深部となるように配置される。
したがって、器部１１０の最深部は、器部１１０がベース部１２０に対し、図２又は図４に示すように位置が変更されることで変更し、これに伴い器部１１０内の食品を最深部へ移動させられることになる。
【００３２】
また、図２の位置に器部１１０を配置した場合、食品収容部１１２の最深部１１２ａの左側の近傍には、食品収容部１１１が食品掬い上げ用壁部として作用する。すなわち、幼児等が食品収容部１１２の最深部１１２ａに配置されている食品をスプーンで掬い上げる場合、図２において右側からスプーンを挿入し、食品収容部１１２の底面に沿ってスプーンを移動させ、食品に当接させる。
その後、スプーンの上に食品を載せつつ、スプーンを食品収容部１１１である食品掬い上げ用壁部に当接させつつ、スプーンを引き上げるので、より容易に食品をスプーンに載せることができるような構成となっている。
【００３３】
一方、図４に示すように器部１１０が配置されている場合は、食品収容部１１２が食品掬い上げ用壁部として作用する。すなわち、食品収容部１１１の最深部１１１ａに配置されている食品は、図において右側から挿入されたスプーンに掬い上げられる際、スプーンと食品は食品収容部１１２である食品掬い上げ用壁部に当接させつつ、円滑に食品をスプーンに載せることができることになる。
ところで、器部１１０の開口部が図３に示すように略卵殻型となっているので、このような食品収容部１１１，１１２の最深部１１１ａ，１１２ａの近傍に食品が集まり易く、食品掬い上げ用壁部が形成され易くなっている。
【００３４】
また、これら食品収容部１１１，１１２の先端部１１１ｂ，１１２ｂは、図２及び図４に示すように、器部１１０の内側にオーバーハングするように形成されている。したがって、上述のように幼児等がスプーンで食品を掬い上げる際に、食品は食品収容部（食品掬い上げ用壁部）１１１，１１２の底面に沿って移動し、食品が先端部１１１ｂ、１１２ｂまで移動させられた際に、このオーバーハングの形状によって、食品が器部１１０の外側にこぼれることなく、内側でスプーンに容易に載置されることになる。
また、図２及び図４に示す先端部１１１ｂには、食品収容部１１１である食品掬い上げ用壁部の外周が外方に突出するように形成されているフランジ部１１１ｃが形成されている。このフランジ部１１１ｃは、図３に示すように円弧状に食品収容部１１１から外方に突出するように形成されている。
【００３５】
このフランジ部１１１ｃは、器部１１０のみを母親等が手に持って幼児等に給仕する際に手がかりとなる部分である。
図１０（ａ）（ｂ）は、母親等がフランジ部１１１ｃを手がかりとして、器部１１０を持った状態を示す図であり、図１０（ａ）と（ｂ）とは、角度を変えて示している。
図１０（ａ）（ｂ）に示すように、母親等の手の親指と人さし指で、フランジ部１１１ｃをしっかりと保持することができるようになっている。
すなわち、母親等がフランジ部１１１ｃを手がかりとして器部１１０を持つと、図２の食品収容部１１１である食品掬い上げ用壁部が突出するように配置されるので、スプーン等をこの食品掬い上げ用壁部側に押し当て、食品を掬い上げる際に、器部１１０をしっかり持つことができることとなる。
【００３６】
ところで、器部１１０の食品収容部１１２の開口部、すなわち、食品収容部（食品掬い上げ用壁部）１１１に対向して配置される開口部は、図２に示すように水平面に対して例えば６°程度、下向きに傾斜して配置されている。
したがって、図２に示すように器部１１０をベース部１２０に配置した場合、図において右側から幼児等がスプーンを挿入し、上述の食品を掬い上げる動作をする際、幼児の手やスプーンの柄等が食品収容部１１２の開口部の端部に当接するのを未然に防ぐことができる。
【００３７】
また、同様に図４に示すように、器部１１０をベース部１２０上に配置した場合は、図に示すように食品収容部（食品掬い上げ用壁部）１１２に対向して配置される開口部が、図４に示すように水平面に対して例えば１５°程度、下向きに傾斜して配置されているので、上述の食品を掬い上げる動作をする際、幼児の手やスプーンの柄等が食品収容部１１１の開口部の端部に当接するのを未然に防ぐことができる。
したがって、幼児等は円滑にスプーンで食品収容部１１２、１１１内の食品を掬い上げることができる。
【００３８】
また、図３に示すように、器部１１０の食品収容部１１１，１１２の開口部は、食品掬い上げ用壁部の形成方向である図において縦方向の長さが、例えば１００ｍｍとなっている。そして、この食品掬い上げ用壁部の形成方向と直交する方向である図において横方向の長さが、例えば１３４ｍｍとなっている。
すなわち、器部１１０の図において横方向が縦方向に比べ長く形成されているので、幼児等が上述のように食品収容部１１１，１１２の食品をスプーンで掬い上げる場合に、幼児等の手やスプーンが移動する方向が長く形成された器部１１０となっている。このため、幼児等が腕を横に大きく動かして、スプーンの先端を器部１１０の食品収容部１１１，１１２の内面に当てながら移動させ易く、掬い易い器部１１０となる。
【００３９】
以上のように構成されている器部１１０の底面、すなわち、図１のベース部１２０側には、器側凸部１１３が、図３の破線及び図５に示すように、２ヶ所形成されている。
図６は、図３の器部１１０のＡ−Ａ線の概略断面図であるが、図６に示すように、器側凸部１１３は、器部１１０の底面から突出するように形成されている。したがって、例えば器部１１０のみをテーブル等の上に、図２のような角度で配置する場合、これら器側凸部１１３がテーブル上に接触し、器部１１０の脚部として機能する。したがって、器部１１０は、この器側凸部１１３により、テーブル上で転倒することなく、安定的に配置されることになる。
【００４０】
また、この器側凸部１１３は、図６に示すように器部１１０の底面の偏心位置、すなわち、食品収容部１１１側に配置されている。
ところで、図７は、図２又は図４で器部１１０が配置されているベース部１２０の概略平面図であり、図８は、図２又は図４で器部１１０が配置されているベース部１２０の概略左側面図である。
図７において、ベース部１２０には、ベース部側凹部である例えば貫通孔１２１が２つ形成されている。
図９は、図７のＢ−Ｂ’線概略断面図であるが、図９に示すように、ベース部１２０の貫通孔１２１は、上述の器部１１０の器側凸部１１３が挿入されるような形状となっている。
【００４１】
図９において破線で示したのは、器部１１０であり、ベース部１２０の貫通孔１２１に、器部１１０の器側凸部１１３が挿入された状態を示すものである。
したがって、器側凸部１１３が貫通孔１２１内に挿入されることで、器部１１０はベース部１２０に一定の角度で配置されることになる。
ところで、ベース部１２０の貫通孔１２１の周囲には器側凸部１１３を保持するための保持用壁部１２１ａが図７及び図９に示すように形成されている。
この保持用壁部１２１ａによって貫通孔１２１に挿入された器側凸部１１３は、ベース部１２０にしっかりと保持されることになる。
ところで、この状態は、図２に示す状態を示すものであり、このときの器部１１０の角度は、器部１１０の食品収容部１１２の最深部１１２ａが器部１１０の最深部となる角度である。
これに対して、器部１１０の向きを図２の左右において逆にし、器側凸部１１３をベース部１２０の貫通孔１２１に挿入すると、図４に示す角度で器部１１０がベース部１２０に配置されることになる。
【００４２】
このときの器部１１０の角度は、器部１１０の食品収容部１１１の最深部１１１ａが器部１１０の最深部となる角度である。
このように、器部１１０の長手方向を逆にして、器側凸部１１３をベース部１２０の貫通孔１２１に挿入することで、容易に器部１１０のベース部１２０に対する角度を変更することができる。
また、この器部１１０の角度を変更することで、器部１１０の最深部を容易に複数の食品収容部１１１，１１２の複数の最深部１１１ａ、１１２ａに変更することができる。
このようなベース部１２０の図２に示す接地面１２２には、滑り止め加工が施されているため、ベース部１２０をテーブルに載置し、器部１１０内の食品を幼児等がスプーンで掬っても、ベース部１２０がテーブル上を移動することを未然に防ぐことができる。したがって、幼児等の食品を掬う動作を邪魔することがない。
【００４３】
本実施の形態にかかる食器１００は、以上の構成とされるが、以下、その使用方法等について説明する。
幼児等が本実施の形態に係る食器１００とスプーンを用いて、食品を食器１００から掬い上げて食べる練習をする例を用いて説明する。
先ず、図２に示すように、テーブルにベース部１２０を載置し、その上に器部１１０を配置する。
このときの器部１１０の角度は、曲率半径が大きい方であるＲ２５０ｍｍの食品収容部１１２の最深部１１２ａが器部１１０の最深部となるように配置される。
【００４４】
この状態で幼児の母親等が食品を器部１１０内に入れる。すると、食品は食品収容部１１２の最深部１１２ａを中心に配置される。
その後、幼児等は、スプーンの柄を持ち、スプーンの先端部を図２の右側から食品収容部１１２内に挿入し、食品をスプーンに載置しようとする。
このとき、幼児等は、スプーンをうまく操作できないため、食品をスプーンに載せるのではなく、スプーンの先端で食品を左方向に押すような動作となる。
すると、この食品収容部１１２の最深部１１２ａの近傍である図２における左側には、食品収容部１１１（食品掬い上げ用壁部）が配置されているので、この壁に食品を押し付けながら、食品をスプーンに載せ、掬い上げて食べることができる。
【００４５】
食品をスプーンで掬い上げ、食べ進むうちに、食品の量が減少し、食品が浅くなり、図２の食品収容部１１２では、幼児が食品をスプーンで掬い難くなる。そのとき、母親は図２の器部１１０をベース部１２０から外し、図において左右を逆にするように器部１１０の向きを変更し、再び、器部１１０の器側凸部１１３をベース部１２０の貫通孔１２１に挿入する。
すなわち、図４に示すような状態にする。この状態では、食品収容部１１１の最深部１１１ａが器部１１０の最深部となる角度で器部１１０がベース部１２０に配置されている。このときの食品収容部１１１の曲率半径は小さいＲ４５ｍｍ程度となっている。
【００４６】
つまり、角度を変える前に、図４の左側の食品収容部１１２に配置されていた食品は、図の右側の食品収容部１１１側に重力により移動させられ、食品収容部１１１の最深部１１１ａを中心とする部分に集められることになる。この食品収容部１１１の曲率半径は、移動前の食品収容部１１２の曲率半径Ｒ２５０ｍｍより小さいため、食品収容部１１１の最深部１１１ａまでの角度が大となり、食品を配置した場合の食品の深さが深くなることになる。
すなわち、同量の食品を食品収容部１１２から食品収容部１１１に移動させると食品の深さがより深くなる。
【００４７】
そこで、幼児が、図４の食器１００の右側からスプーンを挿入したときは、食品をより掬い易い状態となる。したがって、幼児はスプーンで食品を掬い食べる練習を十分にすることができることになる。
また、食事が進みさらに食品が減ったときでも、幼児は食品収容部１１１に配置されている食品を左側の食品収容部１１２（食品掬い上げ用壁部）に当接させることで、最後まで食品をスプーンに載せ、掬い上げて食べることができる。
このとき、うまくスプーンに載らず食品収容部１１２に沿って食品が移動してしまっても、上述のようにその先端部１１２ｂがオーバーハングしているため、食品は器部１１０の外に出ることなくスプーンに載置されるようになっている。
【００４８】
さらに、このように幼児が激しくスプーンを器部１１０内で動かしても、ベース部１２０の接地面１２２に滑り止め加工が施されているため、食器１００がテーブル上を滑ってしまうことがない。
本実施の形態の食器１００を、このように使用することで、幼児は食器１００からスプーンで食品を掬い上げる練習を効果的に行うことができる。
なお、本実施の形態では、幼児について説明したが、これに限らず、本実施の形態の食器１００は、通常の大人や、手の操作が不自由な要介護者が食事を摂る際にも使用することができることはもちろんである。また、本実施の形態では、器側凸部１１３とベース部１２０の貫通孔１２１を例に説明したが、これに限らず、ベース部にベース部側凸部を設け、器部側に器側凹部を設ける構成としてもよい。
【００４９】
（第１の参考例）
図１１は、第１の参考例に係る食器２００を示す概略断面図である。第１の参考例に係る食器２００のうち、上述の第１の実施の形態に係る食器１００と共通の構成については、同一符号等とし、その説明を省略し、以下相違点を中心に説明する。
本参考例に係る食器２００は、第１の実施の形態に係る食器１００と異なり、その器部２１０の底面に位置変更手段である略球状の軸部２１１が形成されている。
また、ベース部２２０には、この略球状の軸部を受容する位置変更手段である軸受部２２１が形成されている。したがって、この略球状の軸部２１１が軸受部２２１内を球面状に移動することで、器部２１０の位置がベース部２２０に対して変更可能となっている。
【００５０】
このため、幼児等が使用し易い角度に器部２１０の角度を調整できると共に、器部２１０の第１の実施の形態で説明した角度変更も、軸部２１１を軸受部２２１内で球面状に移動させることで容易に行うことができる。また、本参考例では、角度は第１の実施の形態とことなり自由に選択できるので、より幼児等が食品を掬い易い角度に器部２１０を調整することができる。
さらに、本参考例では、ベース部２２０が、弾性体により形成されているため、ベース部２２０のテーブルとの接地面２２０ａにおいて摩擦力が生じ、ベース部２２０がテーブル上を滑り難い構成とすることができる。
なお、本参考例においては、このベース部２２０の接地面２２０ａに滑り止め用の吸盤を取り付けることもできる。
この場合は、吸盤がテーブルに吸い付くため、ベース部２２０がテーブル上を滑ることをより確実に防止することができる。
また、図１１と異なり、器部２１０に軸受部２２１を設け、ベース部２２０に軸部２１１を設けるように構成しても良い。
【００５１】
（第２の参考例）
図１２は、第２の参考例に係る食器３００を示す概略断面図である。第２の参考例に係る食器３００のうち、上述の第１の実施の形態に係る食器１００と共通の構成については、同一符号等とし、その説明を省略し、以下相違点を中心に説明する。
本参考例に係る食器３００は、第１の実施の形態に係る器部１１０と異なり、その底面に歯部３１１が、器部３１０の長手方向に沿って形成されている。
また、ベース部３２０には、前記歯部３１１と歯合する歯車３２１が設けられている。さらに、この歯車３２１を回転させるために操作部であるダイヤル３２２もベース部３２０に形成されている。
【００５２】
これら歯部３１０、歯車３２１及びダイヤル３２２で位置変更手段を構成する。すなわち、使用者がダイヤル３２２を回転させることで、歯車３２１が回転し、この回転に伴い、器部３１０が図において矢印方向に移動する。
この器部３１０の移動により、器部３１０のベース部３２０に対する角度が変更され、第１の実施の形態で説明した食品の移動が生じることになる。
【００５３】
（第３の参考例）
図１３は、第３の参考例に係る食器４００を示す概略断面図である。第３の参考例に係る食器４００のうち、上述の第１の実施の形態に係る食器１００と共通の構成については、同一符号等とし、その説明を省略し、以下相違点を中心に説明する。
本参考例に係る食器４００は、第１の実施の形態の食器１００と異なり、ベース部４２０上の長手方向に略Ｕ字状に形成されたガイド溝部４２１が配置されている。このガイド溝部４２１が配置されているベース部４２０は、図１２に示すように、図の左側に向かうにつれて、徐々に高くなっている。
【００５４】
このため、このベース部４２０上に形成されているガイド溝部４２１も徐々に高くなっている。
また、器部４１０には、このガイド溝部４２１と係合する円盤状の係合部４１１ａを備える軸部４１１が、その底面に配置されている。これら軸部４１１及びガイド溝部４２１とで位置変更手段が構成される。
すなわち、器部４１０の係合部４１１をベース部４２０のガイド溝部４２１内に係合させた状態で、図１３の矢印方向にスライドさせると、ガイド溝部４２１が徐々に高くなっていることから、器部４１０の角度が変化するようになっている。
【００５５】
したがって、この角度変化によって、器部４１０の角度を幼児等が使い易い角度に調整することができる。
また、この器部４１０はガイド溝部４２１内で、円盤状の係合部４１１ａで保持されている。すなわち、ガイド溝部４２１内に係合された状態で、器部４１０を回転させることで、第１の実施の形態と同様に器部４１０の角度変化が生じ、これによる食品の移動で、幼児等が食品をスプーンで掬い易くなる。
更に、幼児等がスプーンを動かす方向に、器部４１０の角度を変更できるため、手の動きに合わせた使用を行うことができる。
【００５６】
（第４及び第５の参考例）
図１４（ａ）は、第４の参考例に係る食器５００を示す概略断面図である。図１４（ｂ）は、第５の参考例に係る食器６００を示す概略断面図である。
第４及び第５の参考例に係る食器５００、６００にうち、上述の第１の実施の形態に係る食器１００と共通の構成については、同一符号等とし、その説明を省略し、以下相違点を中心に説明する。
【００５７】
第４の参考例に係る食器５００は、第１の実施の形態と異なり、ベース部５２０に器部５１０の位置変更手段である固定用吸盤５２１が形成されている。
したがって、この固定用吸盤４２１で固定する器部５２０の底面部分を変更することで、容易に器部５２０のベース部５２０に対する角度を変更することができる。そして、これにより、第１の実施の形態と同様に器部５１０内の食品の移動が生じ、幼児等が食品をスプーンで掬い易くなる。
また、第５の参考例に係る食器６００は、第１の実施の形態と異なり、例えばベース部６２０側にフック側吸着面６２１が形成され、器部６１０側にループ側吸着面６１１が形成されている。
【００５８】
そして、このフック側吸着面６２１とループ側吸着面６１１とを相互に押し付けることで、所謂マジックテープ（登録商標）等として機能し、両者を固定することになる。
したがって、位置変更手段であるフック側吸着面６２１とループ側吸着面６１１との接触位置を任意に変更することによって、容易に器部６１０のベース部６２０に対する角度を変更することができる。そして、これにより、第１の実施の形態と同様に器部６１０内の食品の移動が生じ、幼児等が食品をスプーンで掬い易くなる。
なお、本参考例では、ベース部６２０側にフック吸着面６２１を形成し、器部６１０側にループ側吸着面６１１を形成したが、これに限らず、ベース部６２０側にループ側吸着面、器部６１０側にフック側吸着面を配置してもよい。
【００５９】
（第６の参考例）
図１５は、第６の参考例に係る食器７００を示す概略断面図である。第６の参考例に係る食器７００のうち、上述の第１の実施の形態に係る食器１００と共通の構成については、同一符号等とし、その説明を省略し、以下相違点を中心に説明する。
本参考例の食器７００のベース部７２０は、第１の実施の形態の食器１００と異なり器部１１０の自重により変形可能な材質である、例えば低発泡ウレタンにより形成されている。この低発泡ウレタンにより形成されているベース部７２０上に、器部１１０を配置すると、図１４に示すように変形して器部１１０を保持することとなる。すなわち、ベース部７２０が位置変更手段となっている。
【００６０】
また、低発泡ウレタンは、所定の摩擦力を器部１１０に対して生じるため、器部１１０が載置された角度で保持されることとなる。
したがって、使用者が任意の角度に器部１１０を保持させることができ、これにより、第１の実施の形態と同様に器部１１０内の食品の移動が生じ、幼児等が食品をスプーンで掬い易くなる。
【００６１】
（第７の参考例）
図１６は、第７の参考例に係る食器８００を示す概略断面図である。第７の参考例に係る食器８００のうち、上述の第１の実施の形態に係る食器１００と共通の構成については、同一符号等とし、その説明を省略し、以下相違点を中心に説明する。
本参考例では、第１の実施の形態の器部１１０及びベース部１２０が一体に形成されている。また、食器８００の底面には、角度の異なる２つの傾斜面８１１，８１２が設けられており、この２つの傾斜面が位置変更手段となっている。
【００６２】
したがって、図１６に示すように一方の傾斜面８１２から他方の傾斜面８１１に食器８００を倒すことで、食器８００の食品収容部１１１，１１２に配置されている食品を移動させることができる。このため、第１の実施の形態と同様に、幼児等が食品をスプーンで掬い易くなる食器となる。
本参考例の食器８００によれば、他の実施の形態の食器と比べ、簡単な構成となるので、手入れ等がし易い食器となる。
【００６３】
本発明は、上述の実施の形態に限定されない。
【００６４】
【発明の効果】
以上述べたように、本発明によれば、食器内の食品を掬い上げ易い食器を提供することができる。
【図面の簡単な説明】
【図１】  本発明の第１の実施の形態に係る食器を示す概略斜視図である。
【図２】  図１の概略中央縦断面を示す図である。
【図３】  図１の器部の概略平面図である。
【図４】  図１の器部の位置を変更した状態の食器の概略中央縦断面図である。
【図５】  図１の器部の概略左側面図である。
【図６】  図３のＡ−Ａ線、概略断面図である。
【図７】  図１のベース部の概略平面図である。
【図８】  図７のベース部の左側面図である。
【図９】  図７のＢ−Ｂ’線、概略断面図である。
【図１０】（ａ）図１の器部を保持した状態を示す概略斜視図である。（ｂ）図１の器部を保持した状態を示す他の概略斜視図である。
【図１１】  第１の参考例の食器を示す概略断面図である。
【図１２】  第２の参考例の食器を示す概略断面図である。
【図１３】  第３の参考例の食器を示す概略断面図である。
【図１４】（ａ）第４の参考例の食器を示す概略断面図である。（ｂ）第５の参考例の食器を示す概略断面図である。
【図１５】  第６の参考例の食器を示す概略断面図である。
【図１６】  図７の参考例の食器を示す概略断面図である。
【符号の説明】
１００、２００，３００，４００、５００、６００、７００、８００・・・食器、１１０、２１０、３１０、４１０、５１０，６１０・・・器部、１１１、１１２・・・食品収容部、１１１ａ，１１２ａ・・・最深部、１１１ｂ，１１２ｂ・・・先端部、１１１ｃ・・・フランジ部、１１３・・・器側凸部、１２０、２２０、３２０、４２０，５２０、６２０、７２０・・・ベース部、１２１・・・貫通孔、１２１ａ・・・保持用壁部、１２２、２２０ａ・・・接地面、２１１・・・軸部、２２１・・・軸受部，３２１・・・歯車、３２２・・・ダイヤル、３１１・・・歯部、４１１・・・軸部、４１１ａ・・・係合部、４２１・・・ガイド溝部、５２１・・・固定用吸盤、６１１・・・ループ側吸着面、６２１・・・フック側吸着面、８１１，８１２・・・傾斜面
【図１】
0004843149.tif 000002
【図２】
0004843149.tif 000003
【図３】
0004843149.tif 000004
【図４】
0004843149.tif 000005
【図５】
0004843149.tif 000006
【図６】
0004843149.tif 000007
【図７】
0004843149.tif 000008
【図８】
0004843149.tif 000009
【図９】
0004843149.tif 000010
【図１０】
0004843149.tif 000011
【図１１】
0004843149.tif 000012
【図１２】
0004843149.tif 000013
【図１３】
0004843149.tif 000014
【図１４】
0004843149.tif 000015
【図１５】
0004843149.tif 000016
【図１６】
0004843149.tif 000017